(57)【要約】【課題】視認される表示画像の明るさの低下を抑制できる画像表示システムを提供する。【解決手段】画像表示システム１は、シャッター眼鏡２及び表示装置３１の他、表示装置３１に画像を表示させるための画像信号を生成する信号生成装置３Ｃと、表示装置３１に表示されている画像に対応した透過状態または遮断状態に光選択部２１Ｌ，２１Ｒを切り替える送信部３７とを備える。信号生成装置３Ｃは、表示装置３１に表示させる画像を、交互に切り替わる第１期間及び第２期間のうち、第１期間で第１画像に複数回更新し第２期間で第２画像に複数回更新するための第１画像信号と、第１期間で第２画像に複数回更新し第２期間で第１画像に複数回更新するための第２画像信号とを生成する画像信号生成部３５と、画像信号生成部３５に生成させる画像信号を第１画像信号または第２画像信号に切り替える信号切替部３６とを備える。【選択図】図２
2012160935.tif 000002
【特許請求の範囲】
【請求項１】
光を透過させる透過状態、または光を遮断する遮断状態に切り替わる光選択部を有するシャッター眼鏡と、
順次駆動により画像を表示する表示装置と、
前記表示装置に画像を表示させるための画像信号を生成する信号生成装置と、
前記表示装置に表示されている画像に対応した前記透過状態または前記遮断状態に前記光選択部を切り替えるシャッター制御装置とを備え、
前記信号生成装置は、
前記表示装置に表示させる画像を、交互に切り替わる第１期間及び第２期間のうち、前記第１期間で第１画像に複数回更新し前記第２期間で第２画像に複数回更新するための第１画像信号と、前記第１期間で前記第２画像に複数回更新し前記第２期間で前記第１画像に複数回更新するための第２画像信号とを生成する画像信号生成部と、
前記画像信号生成部に生成させる画像信号を前記第１画像信号または前記第２画像信号に切り替える信号切替部とを備える
ことを特徴とする画像表示システム。
【請求項２】
請求項１に記載の画像表示システムにおいて、
前記信号切替部は、
前記画像信号生成部に前記第１画像信号及び前記第２画像信号を予め定められた順序で生成させる
ことを特徴とする画像表示システム。
【請求項３】
請求項１に記載の画像表示システムにおいて、
前記信号切替部は、
前記画像信号生成部に前記第１画像信号及び前記第２画像信号をランダムに生成させる
ことを特徴とする画像表示システム。
【請求項４】
順次駆動により画像を表示する表示装置に画像を表示させるための画像信号を生成する信号生成装置であって、
前記表示装置に表示させる画像を、交互に切り替わる第１期間及び第２期間のうち、前記第１期間で第１画像に複数回更新し前記第２期間で第２画像に複数回更新するための第１画像信号と、前記第１期間で前記第２画像に複数回更新し前記第２期間で前記第１画像に複数回更新するための第２画像信号とを生成する画像信号生成部と、
前記画像信号生成部に生成させる画像信号を前記第１画像信号または前記第２画像信号に切り替える信号切替部とを備える
ことを特徴とする信号生成装置。
【発明の詳細な説明】
【技術分野】
【０００１】
本発明は、画像表示システム、及び信号生成装置に関する。
【背景技術】
【０００２】
従来、画像を表示する画像表示装置と、観察者に装着されるシャッター眼鏡とを備え、当該シャッター眼鏡を通して画像表示装置にて表示された表示画像を立体視させる画像表示システム（立体映像表示装置）が知られている（例えば、特許文献１参照）。
【０００３】
図６は、従来の画像表示システムの動作を説明するための図である。
具体的に、図６（Ａ）は、画像表示装置における画像の表示タイミングを模式的に示すタイミングチャートであり、図６（Ｂ）は、シャッター眼鏡を構成する左目シャッター（図６（Ｂ）下段）及び右目シャッター（図６（Ｂ）上段）における透過状態ＯＰ及び遮断状態ＣＬの切替タイミングを示すタイミングチャートである。
【０００４】
なお、図６（Ａ）では、説明の便宜上、画像表示装置に表示される画像として、左目用画像及び右目用画像についてはそれぞれ「Ｌ」及び「Ｒ」の記号を付加するとともに、フレーム番号についても付加している。すなわち、例えば、１フレーム目の左目用画像であれば、「Ｌ１」を付加している。
また、図６（Ａ）において、例えば、上下に「Ｒ１」及び「Ｌ１」が併記されている部分は、線順次駆動により、直前に表示されていた１フレーム目の左目用画像Ｌ１から１フレーム目の右目用画像Ｒ１に更新されている（各左，右目用画像Ｌ１，Ｒ１が混在して表示されている）状態を示している。他の上下に併記されている部分も同様である。
さらに、図６（Ａ）において、「Ｌ０」の記号は、画像表示装置に何も表示されていない状態（非表示）を示している。
【０００５】
特許文献１に記載の画像表示装置では、線順次駆動により画像を表示する液晶パネルを有するＬＣＤ表示器で構成されている。このＬＣＤ表示器は、図６（Ａ）に示すように、垂直同期信号で指定される各垂直走査期間Ｔｖ１〜Ｔｖ４内で、最上部の走査線から最下部の走査線まで順次、画像データを書き込み、表示画像を更新する。そして、ＬＣＤ表示器は、表示画像を、交互に切り替わる第１期間Ｔ１（垂直走査期間Ｔｖ１，Ｔｖ２）及び第２期間Ｔ２（垂直走査期間Ｔｖ３，Ｔｖ４）のうち、第１期間Ｔ１で左目用画像に２回更新し、第２期間Ｔ２で右目用画像に２回更新する。
【０００６】
また、特許文献１に記載のシャッター眼鏡（左目シャッター及び右目シャッター）は、所謂液晶シャッターで構成されている。
そして、左目シャッターは、図６（Ｂ）下段に示すように、第１期間Ｔ１における左目用画像の２回目の更新開始タイミングＷＬ２〜当該左目用画像と同一フレームである右目用画像の１回目の更新開始タイミングＷＲ１までの期間（垂直走査期間Ｔｖ２）にのみ略全ての光を透過させる透過状態ＯＰとなる。また、左目シャッターは、他の期間に略全ての光を遮断する遮断状態ＣＬとなる。
また、右目シャッターは、図６（Ｂ）上段に示すように、第２期間Ｔ２における右目用画像の２回目の更新開始タイミングＷＲ２〜当該右目用画像のフレームに対して次のフレームである左目用画像の１回目の更新開始タイミングＷＬ１までの期間（垂直走査期間Ｔｖ４）にのみ透過状態ＯＰとなる。また、右目シャッターは、他の期間に遮断状態ＣＬとなる。
【０００７】
すなわち、左目シャッター及び右目シャッターは、左目用画像及び右目用画像が混在して表示される期間（垂直走査期間Ｔｖ１，Ｔｖ３）を避けて透過状態ＯＰとなる。このため、観察者は、左目で左目用画像のみを視認し、右目で右目用画像のみを視認する。したがって、観察者は、視差により表示画像を立体視することとなる。
【先行技術文献】
【特許文献】
【０００８】
【特許文献１】特開２０１０−１１７４３７号公報
【発明の概要】
【発明が解決しようとする課題】
【０００９】
しかしながら、特許文献１に記載の画像表示システムでは、上述した期間（垂直走査期間Ｔｖ２，Ｔｖ４）にのみシャッター眼鏡が透過状態ＯＰとなるので、左目用画像及び右目用画像を視認できる時間が少なくなり、結果として、視認される表示画像の明るさが低減する、という問題がある。
【００１０】
本発明の目的は、視認される表示画像の明るさの低下を抑制できる画像表示システム、及び信号生成装置を提供することにある。
【課題を解決するための手段】
【００１１】
本発明の画像表示システムは、光を透過させる透過状態、または光を遮断する遮断状態に切り替わる光選択部を有するシャッター眼鏡と、順次駆動により画像を表示する表示装置と、前記表示装置に画像を表示させるための画像信号を生成する信号生成装置と、前記表示装置に表示されている画像に対応した前記透過状態または前記遮断状態に前記光選択部を切り替えるシャッター制御装置とを備え、前記信号生成装置は、前記表示装置に表示させる画像を、交互に切り替わる第１期間及び第２期間のうち、前記第１期間で第１画像に複数回更新し前記第２期間で第２画像に複数回更新するための第１画像信号と、前記第１期間で前記第２画像に複数回更新し前記第２期間で前記第１画像に複数回更新するための第２画像信号とを生成する画像信号生成部と、前記画像信号生成部に生成させる画像信号を前記第１画像信号または前記第２画像信号に切り替える信号切替部とを備えることを特徴とする。
【００１２】
ここで、本発明の画像表示システムは、第１画像及び第２画像をそれぞれ左目用画像及び右目用画像として表示画像を観察者に立体視させる構成としてもよく、あるいは、第１画像及び第２画像をコンテンツの異なる画像とし、２つの表示画像（第１画像及び第２画像）を異なる観察者にそれぞれ視認させる構成としても構わない。
以下では、説明の便宜上、画像表示システムを前者の構成として説明する。
【００１３】
本発明では、画像表示システムは、シャッター眼鏡及び表示装置の他、上述した画像信号生成部及び信号切替部を有する信号生成装置を備える。
このことにより、例えば、信号切替部が画像信号生成部に生成させる画像信号として、第１画像信号の次に第２画像信号を生成させた場合には、表示装置は、以下に示すように、画像を表示することとなる。
先ず、表示装置は、第１画像信号に基づき、第１期間で左目用画像に複数回（例えば、２回、以下同様）更新し、第２期間で右目用画像に２回更新する。
次に、表示装置は、第２画像信号に基づき、第１期間で上記右目用画像の次のフレームの右目用画像に２回更新し、第２期間で上記左目用画像の次のフレームの左目用画像に２回更新する。
すなわち、第１画像信号に基づく第２期間で所定フレームの右目用画像に２回更新した後、第２画像信号に基づく第１期間で次のフレームの右目用画像に２回更新するため、従来の構成と比較して、連続して表示される右目用画像の表示期間を長くすることができる。
【００１４】
また、例えば、上記と逆に、第２画像信号の次に第１画像信号を生成させた場合には、第２画像信号に基づく第２期間で所定フレームの左目用画像に２回更新した後、第１画像信号に基づく第１期間で次のフレームの左目用画像に２回更新することとなる。このため、従来の構成と比較して、連続して表示される左目用画像の表示期間を長くすることができる。
【００１５】
そして、画像表示システムは、表示装置に表示されている画像に対応した透過状態または遮断状態に光選択部を切り替えるシャッター制御装置を備える。
すなわち、シャッター制御装置は、上述した連続して表示される右目用画像の表示期間に右目用選択部（光選択部）のみを透過状態に切り替え、上述した連続して表示される左目用画像の表示期間に左目用選択部（光選択部）のみを透過状態に切り替える。
このことにより、従来の構成と比較して、左目用画像及び右目用画像を視認できる時間が多くなり、結果として、視認される表示画像の明るさの低下を抑制できる。
【００１６】
本発明の画像表示システムでは、前記信号切替部は、前記画像信号生成部に前記第１画像信号及び前記第２画像信号を予め定められた順序で生成させることが好ましい。
本発明では、信号切替部は、画像信号生成部に上述したように第１画像信号及び第２画像信号を生成させるので、画像信号生成部に第１画像信号及び第２画像信号をランダムに生成させる構成と比較して、当該信号切替部の処理負荷を軽減できる。
【００１７】
本発明の画像表示システムでは、前記信号切替部は、前記画像信号生成部に前記第１画像信号及び前記第２画像信号をランダムに生成させることが好ましい。
ところで、信号切替部が画像信号生成部に第１画像信号及び第２画像信号を予め定められた順序で生成させた場合には、左目用画像や右目用画像の表示周期（左目用選択部や右目用選択部の透過状態となる周期）が長くなり、視認される表示画像にフリッカーが生じる恐れがある。
本発明では、信号切替部は、画像信号生成部に第１画像信号及び第２画像信号をランダムに生成させるので、左目用画像や右目用画像の表示（左目用選択部や右目用選択部の透過状態）が規則的でなくなるため、視認される表示画像にフリッカーが生じることを抑制できる。
【００１８】
本発明の信号生成装置は、順次駆動により画像を表示する表示装置に画像を表示させるための画像信号を生成する信号生成装置であって、前記表示装置に表示させる画像を、交互に切り替わる第１期間及び第２期間のうち、前記第１期間で第１画像に複数回更新し前記第２期間で第２画像に複数回更新するための第１画像信号と、前記第１期間で前記第２画像に複数回更新し前記第２期間で前記第１画像に複数回更新するための第２画像信号とを生成する画像信号生成部と、前記画像信号生成部に生成させる画像信号を前記第１画像信号または前記第２画像信号に切り替える信号切替部とを備えることを特徴とする。
本発明の信号生成装置は、上述した画像表示システムを構成する信号生成装置と同様の構成を有しているため、上述した画像表示システムと同様の作用及び効果を享受できる。
【図面の簡単な説明】
【００１９】
【図１】第１実施形態における画像表示システムの使用形態を示す斜視図。
【図２】第１実施形態における画像表示システムの構成を模式的に示すブロック図。
【図３】第１実施形態における画像表示システムの動作を説明するための図。
【図４】第２実施形態における画像表示システムの動作の一例を説明するための図。
【図５】第３実施形態における画像表示システムの構成を模式的に示すブロック図。
【図６】従来の画像表示システムの動作を説明するための図。
【発明を実施するための形態】
【００２０】
[第１実施形態]
以下、本発明の第１実施形態を図面に基づいて説明する。
〔画像表示システムの構成〕
図１は、第１実施形態における画像表示システム１の使用形態を示す斜視図である。
図２は、画像表示システム１の構成を模式的に示すブロック図である。
画像表示システム１は、反射型のスクリーンＳｃ（図１）上に画像を表示するとともに、観察者に表示画像を立体視させる。
この画像表示システム１は、図１または図２に示すように、シャッター眼鏡２と、プロジェクター３とを備える。
【００２１】
〔シャッター眼鏡の構成〕
シャッター眼鏡２は、観察者が装着するものであり、図１または図２に示すように、光選択部としての左目用選択部２１Ｌ及び右目用選択部２１Ｒと、受信部２２（図２）と、駆動部２３（図２）とを備える。
【００２２】
各選択部２１Ｌ，２１Ｒは、所謂液晶シャッターで構成され、ＯＮ信号の入力（電圧印加の状態）、ＯＦＦ信号の入力（電圧非印加の状態）で、略全ての光を遮断する遮断状態、略全ての光を透過させる透過状態にそれぞれ切り替わる。
受信部２２は、プロジェクター３の後述する送信部３７から送信された信号を受信する。
本実施形態では、受信部２２は、具体的な図示は省略したが、赤外受光素子等を備え、送信部３７から出射された赤外光を受光して信号に変換し、駆動部２３に出力する。
駆動部２３は、受信部２２からの信号に基づいて、各選択部２１Ｌ，２１ＲにＯＮ信号、ＯＦＦ信号を出力し、各選択部２１Ｌ，２１Ｒの透過状態及び遮断状態を切り替える。
【００２３】
〔プロジェクターの構成〕
プロジェクター３は、画像を形成してスクリーンＳｃ上に投射する。
このプロジェクター３は、図１または図２に示すように、外装を構成する外装筐体３Ａ（図１）と、外装筐体３Ａに収納される光学ユニット３Ｂ及び信号生成装置としての制御装置３Ｃ（図２）とを備える。
光学ユニット３Ｂは、具体的な図示は省略したが、光源部、前記光源部から出射された光を変調して画像を形成する表示装置としての液晶パネル３１（図２）、及び画像を投射する投射レンズ３２（図１）を有する。
【００２４】
制御装置３Ｃは、ＣＰＵ(Central Processing Unit)等を有し、液晶パネル３１やシャッター眼鏡２の動作を制御する。
この制御装置３Ｃは、図２に示すように、信号判別部３３と、左目用記憶部３４Ｌ及び右目用記憶部３４Ｒと、画像信号生成部３５と、パターンジェネレーター３６と、シャッター制御装置としての送信部３７とを備える。
【００２５】
信号判別部３３は、外部から入力した入力信号に含まれる左右画像信号から、左目用画像信号と、右目用画像信号とを判別する。
そして、信号判別部３３は、１フレーム毎に左目用画像信号（第１画像としての左目用画像）及び右目用画像信号（第２画像としての右目用画像）を左目用記憶部３４Ｌ及び右目用記憶部３４Ｒにそれぞれ記憶させる。
なお、本実施形態では、外部から入力される入力信号は、周波数６０Ｈｚの垂直同期信号と、垂直走査期間Ｔ（本実施形態では１／６０（秒）、図３）毎に１フレーム分の左目用画像信号及び右目用画像信号が含まれる左右画像信号とで構成されている。
【００２６】
画像信号生成部３５は、パターンジェネレーター３６から出力される信号（後述するＬ信号、Ｒ信号）に基づいて、各記憶部３４Ｌ，３４Ｒに記憶されている各画像信号を最初に記憶された画像信号（フレーム番号の小さい画像信号）から順に読み出し、当該画像信号を液晶パネル３１に出力する。
パターンジェネレーター３６は、左目用記憶部３４Ｌから左目用画像信号を読み出させるためのＬ信号、または、右目用記憶部３４Ｒから右目用画像信号を読み出させるためのＲ信号を画像信号生成部３５及び送信部３７に出力する。
【００２７】
送信部３７は、パターンジェネレーター３６から出力されるＬ信号及びＲ信号に基づいて、各選択部２１Ｌ，２１Ｒを透過状態または遮断状態に切り替える旨の信号を送信する。
本実施形態では、送信部３７は、具体的な図示は省略したが、赤外発光ＬＥＤ（Light Emitting Diode）、及び当該赤外発光ＬＥＤを発光させる駆動回路等を備え、上述した信号を、発光時間や発光パターンを変化させることで送信する。
【００２８】
〔画像表示システムの動作〕
図３は、画像表示システム１の動作を説明するための図である。
具体的に、図３は、図６と同様のタイミングチャートを示した図である。
次に、上述した画像表示システム１の動作について、図３を参照して説明する。
なお、以下では、説明の便宜上、画像表示システム１の動作として、プロジェクター３の動作、及びシャッター眼鏡２の動作を順に説明する。
【００２９】
〔プロジェクターの動作〕
先ず、パターンジェネレーター３６から出力される信号について説明する。
本実施形態では、Ｌ信号及びＲ信号の出力パターンが予め設定されており、パターンジェネレーター３６は、以下に示す出力パターンでＬ信号及びＲ信号を画像信号生成部３５及び送信部３７に出力する。
パターンジェネレーター３６は、入力信号に含まれる垂直同期信号に同期させ、当該垂直同期信号の４倍の周波数（各タイミングＰ１，Ｐ２，Ｐ３，Ｐ４，Ｐ５，・・・（図３））で、「Ｌ（Ｌ信号）」、「Ｌ」、「Ｒ（Ｒ信号）」、「Ｒ」、「Ｒ」、「Ｒ」、「Ｌ」、「Ｌ」、「Ｌ」、「Ｌ」、「Ｒ」、「Ｒ」、「Ｒ」、「Ｒ」、・・・の順に画像信号生成部３５及び送信部３７に出力する。
すなわち、パターンジェネレーター３６は、初めの各タイミングＰ１，Ｐ２でＬ信号を２回出力した後、Ｒ信号の４回出力及びＬ信号の４回出力を交互に繰り返し実施する。
【００３０】
そして、画像信号生成部３５は、パターンジェネレーター３６からＬ信号を入力した場合には左目用記憶部３４Ｌから左目用画像信号を読み出し、Ｒ信号を入力した場合には右目用記憶部３４Ｒから右目用画像信号を読み出して液晶パネル３１に出力する。
具体的に、画像信号生成部３５は、先ず、初めのＬ信号を入力したタイミングＰ１で左目用記憶部３４Ｌに記憶されている１フレーム目の左目用画像信号の出力を開始し、タイミングＰ２までに当該出力を完了させる。また、画像信号生成部３５は、２回目のＬ信号を入力したタイミングＰ２で再度、１フレーム目の左目用画像信号の出力を開始し、タイミングＰ３までに当該出力を完了させる。
【００３１】
そして、液晶パネル３１は、タイミングＰ１で最上部の走査線に１フレーム目の左目用画像信号に応じた画像データの書き込みを開始し、タイミングＰ２までに、順次、最下部の走査線まで画像データを書き込む。また、液晶パネル３１は、タイミングＰ２〜Ｐ３の期間で再度、上記同様の書き込みを行う。なお、液晶パネル３１の駆動は、線順次駆動や点順次駆動等を採用できる。
すなわち、図３（Ａ）に示すように、タイミングＰ１〜Ｐ２の期間では、液晶パネル３１に形成される画像は、非表示Ｌ０から１フレーム目の左目用画像Ｌ１に更新されるため、非表示Ｌ０と左目用画像Ｌ１とが混在してスクリーンＳｃ上に表示される。また、タイミングＰ２〜Ｐ３の期間では、タイミングＰ１〜Ｐ２の期間と同様の左目用画像Ｌ１に更新されるため、左目用画像Ｌ１のみが表示される。
【００３２】
次に、画像信号生成部３５は、初めのＲ信号を入力したタイミングＰ３で右目用記憶部３４Ｒに記憶されている１フレーム目の右目用画像信号の出力を開始し、タイミングＰ４までに当該出力を完了させる。また、画像信号生成部３５は、２回目のＲ信号を入力したタイミングＰ４で再度、１フレーム目の右目用画像信号の出力を開始し、タイミングＰ５までに当該出力を完了させる。
そして、液晶パネル３１は、タイミングＰ３〜Ｐ４の期間で上記同様に１フレーム目の右目用画像信号に応じた画像データの書き込みを行い、タイミングＰ４〜Ｐ５の期間で再度、同一の画像データの書き込みを行う。
すなわち、図３（Ａ）に示すように、タイミングＰ３〜Ｐ４の期間では、液晶パネル３１に形成される画像は、タイミングＰ２〜Ｐ３の期間で更新された左目用画像Ｌ１から１フレーム目の右目用画像Ｒ１に更新されるため、左目用画像Ｌ１と右目用画像Ｒ１とが混在してスクリーンＳｃ上に表示される。また、タイミングＰ４〜Ｐ５の期間では、タイミングＰ３〜Ｐ４の期間と同様の右目用画像Ｒ１に更新されるため、右目用画像Ｒ１のみが表示される。
【００３３】
以上のように、画像信号生成部３５は、タイミングＰ１〜Ｐ５の期間では、パターンジェネレーター３６からの信号に応じて、液晶パネル３１に形成させる画像を、タイミングＰ１〜Ｐ３の期間（第１期間Ｔ１（１／１２０（秒））で左目用画像Ｌ１に２回更新しタイミングＰ３〜Ｐ５の期間（第２期間Ｔ２（１／１２０（秒））で右目用画像Ｒ１に２回更新するための第１画像信号を生成して液晶パネル３１に出力している。
【００３４】
次に、画像信号生成部３５は、３回目のＲ信号を入力したタイミングＰ５で右目用記憶部３４Ｒに記憶されている２フレーム目の右目用画像信号の出力を開始し、タイミングＰ６までに当該出力を完了させる。また、画像信号生成部３５は、４回目のＲ信号を入力したタイミングＰ６で再度、２フレーム目の右目用画像信号の出力を開始し、タイミングＰ７までに当該出力を完了させる。
そして、液晶パネル３１は、タイミングＰ５〜Ｐ６の期間で上記同様に２フレーム目の右目用画像信号に応じた画像データの書き込みを行い、タイミングＰ６〜Ｐ７の期間で再度、同一の画像データの書き込みを行う。
すなわち、図３（Ａ）に示すように、タイミングＰ５〜Ｐ６の期間では、液晶パネル３１に形成される画像は、タイミングＰ４〜Ｐ５の期間で更新された右目用画像Ｒ１から２フレーム目の右目用画像Ｒ２に更新されるため、右目用画像Ｒ１と右目用画像Ｒ２とが混在してスクリーンＳｃ上に表示される。また、タイミングＰ６〜Ｐ７の期間では、タイミングＰ５〜Ｐ６の期間と同様の右目用画像Ｒ２に更新されるため、右目用画像Ｒ２のみが表示される。
【００３５】
次に、画像信号生成部３５は、３回目のＬ信号を入力したタイミングＰ７で左目用記憶部３４Ｌに記憶されている２フレーム目の左目用画像信号の出力を開始し、タイミングＰ８までに当該出力を完了させる。また、画像信号生成部３５は、４回目のＬ信号を入力したタイミングＰ８で再度、２フレーム目の左目用画像信号の出力を開始し、タイミングＰ９までに当該出力を完了させる。
そして、液晶パネル３１は、タイミングＰ７〜Ｐ８の期間で上記同様に２フレーム目の左目用画像信号に応じた画像データの書き込みを行い、タイミングＰ８〜Ｐ９の期間で再度、同一の画像データの書き込みを行う。
すなわち、図３（Ａ）に示すように、タイミングＰ７〜Ｐ８の期間では、液晶パネル３１に形成される画像は、タイミングＰ６〜Ｐ７の期間で更新された右目用画像Ｒ２から２フレーム目の左目用画像Ｌ２に更新されるため、右目用画像Ｒ２と左目用画像Ｌ２とが混在してスクリーンＳｃ上に表示される。また、タイミングＰ８〜Ｐ９の期間では、タイミングＰ７〜Ｐ８の期間と同様の左目用画像Ｌ２に更新されるため、左目用画像Ｌ２のみが表示される。
【００３６】
以上のように、画像信号生成部３５は、タイミングＰ５〜Ｐ９の期間では、パターンジェネレーター３６からの信号に応じて、液晶パネル３１に形成される画像を、タイミングＰ５〜Ｐ７の期間（第１期間Ｔ１）で右目用画像Ｒ２に２回更新しタイミングＰ７〜Ｐ９の期間（第２期間Ｔ２）で左目用画像Ｌ２に２回更新するための第２画像信号を生成して液晶パネル３１に出力している。
【００３７】
そして、画像信号生成部３５は、上記以降、パターンジェネレーター３６からの信号に応じて、液晶パネル３１に形成される画像を、交互に切り替わる第１期間Ｔ１及び第２期間Ｔ２のうち、第１期間Ｔ１で左目用画像に２回更新し第２期間Ｔ２で右目用画像に２回更新するための第１画像信号の生成及び出力と、第１期間Ｔ１で右目用画像に２回更新し第２期間Ｔ２で左目用画像に２回更新するための第２画像信号の生成及び出力とを交互に繰り返し実施する。
【００３８】
すなわち、画像信号生成部３５は、奇数番目のフレームの各左，右目用画像を液晶パネル３１に形成させる場合に第１画像信号を生成及び出力し、偶数番目のフレームの各左，右目用画像を形成させる場合に第２画像信号を生成及び出力する。
したがって、スクリーンＳｃ上の表示画像は、図３（Ａ）に示すように、奇数番目のフレームの右目用画像と偶数番目のフレームの右目用画像とが連続して更新されることとなる。また、偶数番目のフレームの左目用画像と奇数番目のフレームの左目用画像とが連続して更新されることとなる。
【００３９】
以上のように、パターンジェネレーター３６は、予め決められた出力パターンでＬ信号及びＲ信号を出力することで、画像信号生成部３５に生成させる画像信号を第１画像信号及び第２画像信号の順に交互に切り替えている。すなわち、パターンジェネレーター３６は、本発明に係る信号切替部に相当する。
【００４０】
また、送信部３７は、パターンジェネレーター３６からの信号に基づいて、各選択部２１Ｌ，２１Ｒを透過状態ＯＰまたは遮断状態ＣＬに切り替える旨の信号を送信する。
具体的に、送信部３７は、左目用選択部２１Ｌを透過状態ＯＰまたは遮断状態ＣＬに切り替える旨の信号を以下に示すタイミングで送信する。
先ず、送信部３７は、初めのＬ信号を入力したタイミングＰ１で左目用選択部２１Ｌを透過状態ＯＰに切り替える旨の信号（以下、左透過切替信号）を送信するとともに、初めのＲ信号を入力したタイミングＰ３で左目用選択部２１Ｌを遮断状態ＣＬに切り替える旨の信号（以下、左遮断切替信号）を送信する。
【００４１】
そして、送信部３７は、上記以降、連続して２回、Ｌ信号を入力したタイミング（タイミングＰ８，Ｐ１６，・・・）で左透過切替信号を送信するとともに、連続したＬ信号の入力後、次のＲ信号を入力したタイミング（タイミングＰ１１，・・・）で左遮断切替信号を送信する。
【００４２】
一方、送信部３７は、右目用選択部２１Ｒを透過状態ＯＰまたは遮断状態ＣＬに切り替える旨の信号を以下に示すタイミングで送信する。
先ず、送信部３７は、初めのＬ信号を入力したタイミングＰ１で右目用選択部２１Ｒを遮断状態ＣＬに切り替える旨の信号（以下、右遮断切替信号）を送信する。
そして、送信部３７は、上記以降、連続して２回、Ｒ信号を入力したタイミング（タイミングＰ４，Ｐ１２，・・・）で右目用選択部２１Ｒを透過状態ＯＰに切り替える旨の信号（以下、右透過切替信号）を送信するとともに、連続したＲ信号の入力後、次のＬ信号を入力したタイミング（タイミングＰ７，Ｐ１５・・・）で右遮断切替信号を送信する。
【００４３】
〔シャッター眼鏡の動作〕
駆動部２３は、受信部２２からの信号に基づいて、送信部３７から送信された信号が左遮断切替信号、左透過切替信号、右遮断切替信号、及び右透過切替信号のいずれの信号であるかを認識する。
そして、駆動部２３は、左透過切替信号を受信したタイミング（タイミングＰ１，Ｐ８，Ｐ１６，・・・）で左目用選択部２１ＬにＯＦＦ信号を出力し、左遮断切替信号を受信したタイミング（タイミングＰ３，Ｐ１１・・・）で左目用選択部２１ＬにＯＮ信号を出力する。
したがって、左目用選択部２１Ｌは、図３（Ｂ）下段に示すように、最初の第１期間Ｔ１と、偶数番目のフレームの左目用画像及び奇数番目のフレームの左目用画像が連続して更新される期間のうち、偶数番目のフレームの左目用画像の１回目の更新期間を除く期間（例えば、タイミングＰ８〜Ｐ１１の期間）とにのみ透過状態ＯＰとなる。
【００４４】
一方、駆動部２３は、右遮断切替信号を受信したタイミング（タイミングＰ１，Ｐ７，Ｐ１５，・・・）で右目用選択部２１ＲにＯＮ信号を出力し、右透過切替信号を受信したタイミング（タイミングＰ４，Ｐ１２，・・・）でＯＦＦ信号を出力する。
したがって、右目用選択部２１Ｒは、図３（Ｂ）上段に示すように、奇数番目のフレームの右目用画像及び偶数番目のフレームの右目用画像が連続して更新される期間のうち、奇数番目のフレームの右目用画像の１回目の更新期間を除く期間（例えば、タイミングＰ４〜Ｐ７，Ｐ１２〜Ｐ１５の期間）にのみ透過状態ＯＰとなる。
すなわち、送信部３７は、上述した各切替信号を送信することで、スクリーンＳｃ上に表示されている各左，右目用画像に対応した透過状態ＯＰまたは遮断状態ＣＬに各選択部２１Ｌ，２１Ｒを切り替えている。
【００４５】
上述した第１実施形態によれば、以下の効果がある。
本実施形態では、画像表示システム１は、シャッター眼鏡２及び液晶パネル３１の他、画像信号生成部３５及びパターンジェネレーター３６を有する制御装置３Ｃを備える。
このことにより、従来の構成と比較して、連続して表示される左目用画像や右目用画像の表示期間（垂直走査期間Ｔｖ４，Ｔｖ１，Ｔｖ２（図３））を長くすることができる。
そして、画像表示システム１は、送信部３７を備えるので、連続して表示される右目用画像の表示期間（例えば、タイミングＰ４〜Ｐ７，Ｐ１２〜Ｐ１５の期間）に右目用選択部２１Ｒのみを透過状態ＯＰに切り替え、連続して表示される左目用画像の表示期間（例えば、タイミングＰ８〜Ｐ１１の期間）に左目用選択部２１Ｌのみを透過状態ＯＰに切り替えることができる。
したがって、従来の構成と比較して、左目用画像及び右目用画像を視認できる時間が多くなり、結果として、視認される表示画像の明るさの低下を抑制できる。
【００４６】
また、パターンジェネレーター３６は、予め決められた出力パターンでＬ信号及びＲ信号を出力することで、画像信号生成部３５に生成させる画像信号を第１画像信号及び第２画像信号の順に交互に切り替える。このため、画像信号生成部３５に第１画像信号及び第２画像信号をランダムに生成させる構成と比較して、パターンジェネレーター３６の処理負荷を軽減できる。
【００４７】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図４は、第２実施形態における画像表示システム１の動作の一例を説明するための図である。
具体的に、図４は、図３と同様のタイミングチャートを示した図である。
前記第１実施形態では、パターンジェネレーター３６は、画像信号生成部３５に生成させる画像信号を第１画像信号及び第２画像信号の順に交互に切り替えていた。
これに対して、第２実施形態では、パターンジェネレーター３６は、画像信号生成部３５に第１画像信号及び第２画像信号をランダムに生成させる。その他の構成は、前記第１実施形態と同様である。
【００４８】
例えば、図４に示す例では、画像信号生成部３５は、パターンジェネレーター３６からの信号に応じて、１，２フレーム目の各左，右目用画像を液晶パネル３１に形成させる場合に第１画像信号（第１期間Ｔ１で左目用画像に２回更新し第２期間Ｔ２で右目用画像に２回更新するための信号）を生成及び出力している。また、画像信号生成部３５は、３，４フレーム目の各左，右目用画像を液晶パネル３１に形成させる場合に第２画像信号（第１期間Ｔ１で右目用画像に２回更新し第２期間Ｔ２で左目用画像に２回更新するための信号）を生成及び出力している。
したがって、図４に示す例では、スクリーンＳｃ上の表示画像は、２フレーム目の右目用画像と３フレーム目の右目用画像とが連続して更新されることとなる。
なお、本実施形態では、パターンジェネレーター３６は、画像信号生成部３５に第１画像信号及び第２画像信号をランダムに生成させる。このため、画像信号生成部３５は、５フレーム目以降の各左，右目用画像を液晶パネル３１に形成させる場合に、上記のように２回の第１画像信号の生成及び出力、２回の第２画像信号の生成及び出力を交互に繰り返し実施するものではない。
【００４９】
本実施形態における送信部３７は、前記第１実施形態と同様に動作するものである。
具体的に、送信部３７は、タイミングＰ１で左透過切替信号を送信するとともに、タイミングＰ３で左遮断切替信号を送信する。
そして、送信部３７は、上記以降、連続して２回、Ｌ信号を入力したタイミング（図４に示す例ではタイミングＰ６，Ｐ１２，Ｐ１６，・・・）で左透過切替信号を送信するとともに、連続したＬ信号の入力後、次のＲ信号を入力したタイミング（図４に示す例ではタイミングＰ７，Ｐ１３，・・・）で左遮断切替信号を送信する。
一方、送信部３７は、タイミングＰ１で右遮断切替信号を送信する。
そして、送信部３７は、上記以降、連続して２回、Ｒ信号を入力したタイミング（図４に示す例ではタイミングＰ４，Ｐ８，Ｐ１４，・・・）で右透過切替信号を送信するとともに、連続したＲ信号の入力後、次のＬ信号を入力したタイミング（図４に示す例ではタイミングＰ５，Ｐ１１，Ｐ１５，・・・）で右遮断切替信号を送信する。
【００５０】
そして、シャッター眼鏡２では、上述した各切替信号を受信することで、左目用選択部２１Ｌは、最初の第１期間Ｔ１と、左目用画像が連続して更新される期間のうち１回目の更新期間を除く期間（図４に示す例ではタイミングＰ６〜Ｐ７，Ｐ１２〜Ｐ１３，・・・の期間）とにのみ透過状態ＯＰとなる。
また、右目用選択部２１Ｒは、右目用画像が連続して更新される期間のうち１回目の更新期間を除く期間（図４に示す例ではタイミングＰ４〜Ｐ５，Ｐ８〜Ｐ１１，Ｐ１４〜Ｐ１５，・・・の期間）にのみ透過状態ＯＰとなる。
【００５１】
上述した第２実施形態によれば、前記第１実施形態と同様の効果の他、以下の効果がある。
本実施形態では、パターンジェネレーター３６は、画像信号生成部３５に第１画像信号及び第２画像信号をランダムに生成させるので、左目用画像や右目用画像の表示（左目用選択部２１Ｌや右目用選択部２１Ｒの透過状態ＯＰ）が規則的でなくなる（例えば、前記第１実施形態では、各選択部２１Ｌ，２１Ｒは、３０Ｈｚの周期で透過状態ＯＰとなる）。
このため、視認される表示画像にフリッカーが生じることを抑制できる。
【００５２】
[第３実施形態]
次に、本発明の第３実施形態を図面に基づいて説明する。
以下の説明では、前記第１実施形態と同様の構成及び同一部材には同一の符号を付して、その詳細な説明は省略または簡略化する。
図５は、第３実施形態における画像表示システム１の構成を模式的に示すブロック図である。
前記第１実施形態では、制御装置３Ｃは、信号判別部３３、及び各左，右目用記憶部３４Ｌ，３４Ｒを備えていた。
これに対して第３実施形態では、制御装置３Ｃは、各左，右目用記憶部３４Ｌ，３４Ｒの代わりに単体の記憶部３４が設けられ、さらに、信号判別部３３が省略されている。その他の構成は、前記第１実施形態と同様である。
【００５３】
具体的に、記憶部３４には、入力信号に含まれる各左，右目用画像信号がフレーム番号と左，右目用画像信号のいずれの画像信号であるかを示す情報とを含む識別情報とともに記憶される。
そして、画像信号生成部３５は、パターンジェネレーター３６からの信号に応じて、特定の識別情報に関連付けられた画像信号を記憶部３４から読み出して液晶パネル３１に出力する。
例えば、画像信号生成部３５は、パターンジェネレーター３６から初めのＬ信号及び２回目のＬ信号を入力した場合には、記憶部３４からフレーム番号が「１」で左目用画像信号を示す情報に関連付けられた１フレーム目の左目用画像信号を読み出し、前記第１実施形態と同様に液晶パネル３１に出力する。
【００５４】
上述した第３実施形態によれば、前記第１実施形態と同様の効果の他、信号判別部３３を省略し、記憶部３４を単体で構成できるため、制御装置３Ｃの簡素化が図れる。
【００５５】
なお、本発明は前述の実施形態に限定されるものではなく、本発明の目的を達成できる範囲での変形、改良等は本発明に含まれるものである。
前記各実施形態では、第１画像を左目用画像、第２画像を右目用画像としていたが、これに限らず、第１画像を右目用画像、第２画像を左目用画像としても構わない。
また、前記各実施形態では、画像表示システム１は、第１画像及び第２画像をそれぞれ左目用画像及び右目用画像として表示画像を観察者に立体視させる構成としていたが、これに限らない。例えば、画像表示システムとして、第１画像及び第２画像をコンテンツの異なる画像とし、２つの表示画像（第１画像及び第２画像）を異なる観察者にそれぞれ視認させる構成を採用しても構わない。
このように構成した場合には、シャッター眼鏡２としては、左目用選択部２１Ｌのみ（左目用選択部２１Ｌの数は単体でも複数でも可）を有するシャッター眼鏡、及び右目用選択部２１Ｒのみ（右目用選択部２１Ｒの数は単体でも複数でも可）を有するシャッター眼鏡の２種類を設ければよい。
【００５６】
前記各実施形態では、各選択部２１Ｌ，２１Ｒは、液晶シャッターで構成されていたが、これに限らない。光選択部としては、透過状態ＯＰまたは遮断状態ＣＬに切り替わる構成であれば、例えば機械的に透過状態または遮断状態に切り替わる構成等、その他の構成を採用しても構わない。
また、前記各実施形態では、光を透過させる透過状態、または光を遮断する遮断状態に切り替わる所謂液晶シャッターを光選択部として各選択部２１Ｌ，２１Ｒに適用したアクティブ駆動のシャッター眼鏡２を採用していたが、これに限らない。左目用と右目用で透過軸の異なるように偏光板を適用したパッシブ型の偏光眼鏡と、プロジェクター３の表示装置としての液晶パネル３１と投射レンズ３２との間に配置され正面位相差の切替が可能な液晶素子とを用いて、表示される画像を選択的に視認させる構成を光選択部として採用することもできる。具体的には、当該正面位相差の切替が可能な液晶素子は、プロジェクター３の制御装置３Ｃからの電気信号パターンに対応して、液晶への電圧印加または電圧非印加を切り替えて、スクリーンへ投影する光の偏光状態を切り替える。これにより、前記各実施形態で右目用選択部が透過状態となるタイミングで偏光眼鏡の右目用偏光板の透過軸に対応するように、スクリーンＳＣへ投影される光の偏光状態を変更して、右目用画像を右目のみで視認させる。また、前記各実施形態で左目用選択部が透過状態となるタイミングで偏光眼鏡の左目用偏光板の透過軸に対応するように、スクリーンＳＣへ投影される光の偏光状態を変更して、左目用画像を左目のみで視認させる。
前記各実施形態では、受信部２２及び送信部３７は、赤外線信号の送受信を行っていたが、信号の種類は赤外線信号に限らず、その他の種類の信号を送受信する構成としても構わない。
例えば、受信部２２及び送信部３７における信号の送受信として、電波、超音波、あるいは、変調した可視光を送受信する構成を採用できる。
【００５７】
前記各実施形態では、外部から入力信号を入力して各記憶部３４，３４Ｌ，３４Ｒに記憶させる構成としていたが、これに限らず、予め左目用画像や右目用画像が記憶部３４，３４Ｌ，３４Ｒに記憶された構成を採用しても構わない。
前記各実施形態では、画像表示システム１は、プロジェクター３を採用していたが、これに限らず、液晶ディスプレイ、プラズマテレビ、有機ＥＬ（Electro Luminescence）等を採用しても構わない。
前記各実施形態では、信号生成装置としての制御装置３Ｃをプロジェクター３に搭載した構成を採用したが、これに限らず、単体で用いたり、その他、ＤＶＤ（Digital Versatile Disc）プレーヤー等の映像再生装置に搭載しても構わない。
前記第１実施形態では、パターンジェネレーター３６は、画像信号生成部３５に第１画像信号及び第２画像信号を順に生成させていたが、予め定められた順序であれば、これに限らない。例えば、２回連続した第１画像信号の生成、２回連続した第２画像信号の生成を交互に繰り返し実施させる構成としても構わない。
【産業上の利用可能性】
【００５８】
本発明は、プロジェクター等の画像表示装置やシャッター眼鏡を用いて画像を立体視させる画像表示システムに利用できる。
【符号の説明】
【００５９】
１・・・画像表示システム、２・・・シャッター眼鏡、３Ｃ・・・制御装置（信号生成装置）、２１Ｌ・・・左目用選択部（光選択部）、２１Ｒ・・・右目用選択部（光選択部）、３１・・・液晶パネル（表示装置）、３５・・・画像信号生成部、３６・・・パターンジェネレーター（信号切替部）、３７・・・送信部（シャッター制御装置）、ＣＬ・・・遮断状態、ＯＰ・・・透過状態。
【図１】
2012160935.tif 000003
【図２】
2012160935.tif 000004
【図３】
2012160935.tif 000005
【図４】
2012160935.tif 000006
【図５】
2012160935.tif 000007
【図６】
2012160935.tif 000008